(57)【要約】【課題】音声入力部の受音部が被施療者の発する音声を良く集音することができるマッサージ機を提供する。【解決手段】被施療者Ｍの身体を支持する座部１１及び背凭れ部１２と、前記座部１１又は背凭れ部１２に設けたマッサージ機構部２と、前記マッサージ機構部２によるマッサージ動作を制御する制御部３を設けたマッサージ機１である。被施療者Ｍが所望するマッサージ動作を行わせるために制御部３に入力する入力部として、被施療者Ｍが手指で入力する手動入力部４と、被施療者Ｍが発する音声により入力する音声入力部５とを備えた。前記音声入力部５の受音部５１が背凭れ部１２に凭れる被施療者Ｍの口が位置する部分Ｋよりも前方に位置させた。【選択図】        図１
2004321324.tif 000002
【特許請求の範囲】
【請求項１】
被施療者の身体を支持する座部及び背凭れ部と、前記座部又は背凭れ部に設けたマッサージ機構部と、前記マッサージ機構部によるマッサージ動作を制御する制御部を設けたマッサージ機であって、被施療者が所望するマッサージ動作を行わせるために制御部に入力する入力部として、被施療者が手指で入力する手動入力部と、被施療者が発する音声により入力する音声入力部とを備えたマッサージ機において、前記音声入力部の受音部が背凭れ部に凭れる被施療者の口が位置する部分よりも前方に位置して成ることを特徴とするマッサージ機。
【請求項２】
音声入力部の受音部の受音方向が背凭れ部に凭れる被施療者の口が位置する部分の方を向くことを特徴とする請求項１記載のマッサージ機。
【請求項３】
音声入力部の受音部を位置調節可能として成ることを特徴とする請求項１又は２記載のマッサージ機。
【請求項４】
手動入力部を背凭れ部に凭れる被施療者の口が位置する部分の近傍に配置すると共に、前記手動入力部に音声入力部の受音部を設けて成ることを特徴とする請求項１乃至３のいずれかに記載のマッサージ機。
【発明の詳細な説明】
【０００１】
【発明の属する技術分野】
本発明は、座部及び背凭れ部、マッサージ機構部、制御部を有し、制御部にマッサージ動作を入力する入力部として手動入力部に加えて音声入力部を設けたマッサージ機に関するものである。
【０００２】
【従来の技術】
従来より、被施療者の身体を支持する座部と背凭れ部を有し、座部又は背凭れ部に施療子を備えたマッサージ機構部を設けると共に、このマッサージ機構部を制御する制御部を設け、制御部に複数種のマッサージ動作を選択的に入力する入力部を設けたマッサージ機が用いられており、さらに、入力部としてスイッチ等からなる手動入力部の他に音声により入力する音声入力部を備えたものが知られている（例えば特許文献１，特許文献２参照）。音声入力部は、その受音部（即ちマイク）にて集音した音声を分析し、予め設定された言葉と一致するものがあれば、その言葉に応じたマッサージ動作を行うものである。
【０００３】
ところで、マッサージ機の製造コストを下げるには、音声入力部にも安価なものを用いることになり、音声入力部の受音部の集音能力、音声の分析能力が下がってしまう。そこで、受音部の集音能力を高めることが考えられるが、上記従来のマッサージ機は、受音部を背凭れ部に設けたものにおいては、背凭れ部に凭れる被施療者の口の位置する部分よりも後方に受音部が位置しており、受音部による被施療者が発する音声の集音が十分になされないものであった。
【０００４】
【特許文献１】
特開２００２−３５５２８３号公報
【特許文献２】
特開２００２−２２４１８４号公報
【０００５】
【発明が解決しようとする課題】
本発明はこのような点に鑑みてなされたものであり、その目的とするところは、音声入力部の受音部が被施療者の発する音声を良く集音することができるマッサージ機を提供することを課題とするものである。
【０００６】
【課題を解決するための手段】
上記課題を解決するために本発明に係るマッサージ機は、被施療者Ｍの身体を支持する座部１１及び背凭れ部１２と、前記座部１１又は背凭れ部１２に設けたマッサージ機構部２と、前記マッサージ機構部２によるマッサージ動作を制御する制御部３を設けたマッサージ機１であって、被施療者Ｍが所望するマッサージ動作を行わせるために制御部３に入力する入力部として、被施療者Ｍが手指で入力する手動入力部４と、被施療者Ｍが発する音声により入力する音声入力部５とを備えたマッサージ機１において、前記音声入力部５の受音部５１が背凭れ部１２に凭れる被施療者Ｍの口が位置する部分Ｋよりも前方に位置して成ることを特徴とするものである。このような構成とすることで、被施療者Ｍの口から発せられる音声を直接受音することができて集音能力が向上し、音声入力部本体の音声の分析能力が向上して言葉の誤認識及び、制御部３へのマッサージ動作の誤入力を抑えることができる。
【０００７】
また、音声入力部５の受音部５１の受音方向が背凭れ部１２に凭れる被施療者Ｍの口が位置する部分Ｋの方を向くことが好ましい。このような構成とすることで、より一層効率良く受音して集音能力を高めることが可能となる。
【０００８】
また、音声入力部５の受音部５１を位置調節可能とすることが好ましい。このような構成とすることで、身長の異なる被施療者Ｍに対応することができ、また、被施療者Ｍの口の近傍に受音部５１を配置できて集音能力を高めることが可能となる。
【０００９】
また、手動入力部４を背凭れ部１２に凭れる被施療者Ｍの口が位置する部分Ｋの近傍に配置すると共に、前記手動入力部４に音声入力部５の受音部５１を設けることが好ましい。このような構成とすることで、手動入力の際も音声入力の際も手動入力部４を介して入力することとなって、いずれの入力でも手動入力部４に意識を集中すればよく使い勝手が良くなる。
【００１０】
【発明の実施の形態】
以下、本発明を添付図面に示す実施形態に基づいて説明する。マッサージ機１は、図１に示すように、被施療者Ｍの臀部が着座される座部１１と、該座部１１の後端部より上方に向けて連設されて被施療者Ｍの背が凭れかけられる背凭れ部１２と、該背凭れ部１２の上端部に設けられて被施療者Ｍの頭部４が凭れかけられるヘッドレスト部１３とで主体が構成され、座部１１の両側方部に肘掛け部１４が設けてある。なお、本実施形態ではヘッドレスト部１３は背凭れ部１２の状端部近傍に該背凭れ部１２と一体に設けてある。
【００１１】
そして、背凭れ部１２又はヘッドレスト部１３あるいは座部１１にマッサージ機構部２を設けるもので、本実施形態では、モータからなる駆動手段によって動力伝達部を介して施療子を前後、上下、左右に自在に移動可能なマッサージ機構部２を設けてある。さらに、このマッサージ機構部２の施療子の動きを制御する制御部３を設けて、施療子による叩き動作や揉み動作等を組み合わせた様々なマッサージ動作が行えるようになっている。
【００１２】
そして、制御部３に入力部を接続して、被施療者Ｍが所望のマッサージ動作を選択的に入力することが可能となっているのであるが、この入力部として、手動入力部４と音声入力部５とがある。
【００１３】
手動入力部４は、ボタン、スイッチ、摘まみ等の操作部４１と、音声案内用のスピーカ４２と、表示部４３等を有するもので（図６参照）、被施療者Ｍが自分の手指で前記操作部４１を操作することで、所望のマッサージ動作の指示を入力することができる。この手動入力部４は、肘掛け部１４に設けたり、あるいは本実施形態のように背凭れ部１２の途中の側端部から支持腕４０を突設し、この支持腕４０の先端に取付けてもよい。
【００１４】
音声入力部５は、音を集音する受音部５１と、受音部５１で集音した音声を分析して制御部３に指令を送る音声入力部本体とからなるが、音声入力部本体は制御部３と一体構成となっていてもよい。音声入力部本体は、受音部５１で集音した音声を分析して言葉を認識し、この認識した言葉が予め登録されている言葉と一致すると、その言葉に設定されているマッサージ動作を行うように制御部３に指令を送るものである。
【００１５】
音声入力部５の受音部５１は、図１に示すように、背凭れ部１２の突出部１６に設けてある。この突出部１６は、背凭れ部１２のヘッドレスト部１３の両側端部からそれぞれ前方に向けて突出している。そして、突出部１６の前端近傍の内側に受音部５１としてのマイクが設けてあり、背凭れ部１２に背を凭れると共に頭部をヘッドレスト部１３に凭れている被施療者Ｍの口が位置する部分Ｋを向くように受音部５１の受音方向を設定している。更に詳述すると、ヘッドレスト部１３に頭部を凭れた状態での被施療者Ｍの口の位置Ｋは、前記頭部が当接するヘッドレスト部１３の中央部の前面位置Ｈから、被施療者Ｍの頭部の前後幅Ｌだけ前方の位置となるものである。従って、このような位置Ｋにある被施療者Ｍの口から発せられる音声を効率良く受音するには、前記口が位置する部分Ｋよりも前方かあるいは前後方向において同程度の位置に受音部５１を配置するのが好ましいため、本実施形態では突出部１６を設けることで受音部５１を口が位置する部分Ｋよりも前方に配置してある（図２参照）。そして、受音部５１のマイクの受音方向が前述した口が位置する部分Ｋを向くように設定している。また、受音部５１は、被施療者Ｍの口が位置する部分Ｋと略同じ前後位置であってもよい（図３参照）。
【００１６】
なお、突出部１６は、ヘッドレスト部１３の中央部の前面から平均的な体形の成人の頭部の前後幅Ｌ以上前方に位置した部分に受音部５１を設けられるように突出長さを設定している。また、突出部１６を両側ではなく左右のどちらか一方に設けてもよい。
【００１７】
以上のような構成によれば、背凭れ部１２に凭れると共に頭部がヘッドレスト部１３に凭れている被施療者Ｍの口が位置する部分Ｋよりも前方に音声入力部５の受音部５１を設けたので、被施療者Ｍの口から発せられる音声を直接受音することができて集音能力が向上し、音声入力部本体の音声の分析能力が向上して言葉の誤認識及び、制御部３へのマッサージ動作の誤入力を抑えることができる。
【００１８】
また、受音部５１の受音方向を被施療者Ｍの口が位置する部分Ｋを向くように設定したことで、より一層効率良く受音して集音能力を高めることが可能となる。また、受音部５１を上下方向に複数設けることで、異なる身長の被施療者Ｍに対応することも可能となる。
【００１９】
次に、他の実施形態について図４に基づいて説明する。本実施形態では、図１に示す実施形態のような突出部１６を設けず、背凭れ部１２又はヘッドレスト部１３の一側端部からフレキシブルパイプからなる突出腕部５０を設け、この突出腕部５０の先端に受音部５１としてのマイクを設けると共に突出腕部５０の内部に受音部５１と音声入力部本体又は制御部３とを接続する接続線が内蔵してある。なお、手動入力部４は図示を省略しているが、上記のように肘掛け部１４等に設けてある。
【００２０】
このようにすることで、突出部１６を設けなくても受音部５１を容易に被施療者Ｍの口より前方に配置することができ、また、被施療者Ｍの身長に関わらず口の前方の近傍に受音部５１を配置することが可能となる。
【００２１】
次に、更に他の実施形態について図５及び図６に基づいて説明する。本実施形態では、背凭れ部１２の途中の側端部から支持腕４０を突設して支持腕４０の先端に手動入力部４を設けると共に、この手動入力部４に受音部５１としてのマイクを設けてある。支持腕４０にフレキシブルパイプ等を用いて支持腕４０を移動自在としてもよい。
【００２２】
このようにすることで、手動入力の際も音声入力の際も手動入力部４を介して入力することとなって、いずれの入力でも手動入力部４に意識を集中すればよく使い勝手が良くなる。また、支持腕４０にフレキシブルパイプを用いると、受音部５１が移動自在となって支持腕４０にフレキシブルパイプを用いると、移動自在となる。
【００２３】
【発明の効果】
上記のように本発明の請求項１記載の発明にあっては、被施療者の身体を支持する座部及び背凭れ部と、前記座部又は背凭れ部に設けたマッサージ機構部と、前記マッサージ機構部によるマッサージ動作を制御する制御部を設けたマッサージ機であって、被施療者が所望するマッサージ動作を行わせるために制御部に入力する入力部として、被施療者が手指で入力する手動入力部と、被施療者が発する音声により入力する音声入力部とを備えたマッサージ機において、前記音声入力部の受音部が背凭れ部に凭れる被施療者の口が位置する部分よりも前方に位置するので、被施療者の口から発せられる音声を直接受音することができて集音能力が向上し、音声入力部本体の音声の分析能力が向上して言葉の誤認識及び、制御部へのマッサージ動作の誤入力を抑えることができる。
【００２４】
また請求項２記載の発明にあっては、上記請求項１記載の発明の効果に加えて、音声入力部の受音部の受音方向が背凭れ部に凭れる被施療者の口が位置する部分の方を向くので、より一層効率良く受音して集音能力を高めることが可能となる。
【００２５】
また請求項３記載の発明にあっては、上記請求項１又は２記載の発明の効果に加えて、音声入力部の受音部を位置調節可能としたので、身長の異なる被施療者に対応することができ、また、被施療者の口の近傍に受音部を配置できて集音能力を高めることが可能となる。
【００２６】
また請求項４記載の発明にあっては、上記請求項１乃至３記載の発明の効果に加えて、手動入力部を背凭れ部に凭れる被施療者の口が位置する部分の近傍に配置すると共に、前記手動入力部に音声入力部の受音部を設けたので、手動入力の際も音声入力の際も手動入力部を介して入力することとなって、いずれの入力でも手動入力部に意識を集中すればよく使い勝手が良くなる。
【図面の簡単な説明】
【図１】本発明の一実施形態のマッサージ機の斜視図である。
【図２】同上の平面図である。
【図３】同上の他例の平面図である。
【図４】本発明の他の実施形態の斜視図である。
【図５】本発明の更に他の実施形態の斜視図である。
【図６】同上の音声入力部を設けた手動入力部の説明図である。
【図７】本発明の制御のフロー図である。
【符号の説明】
１    マッサージ機
１１  座部
１２  背凭れ部
２    マッサージ機構部
３    制御部
４    手動入力部
５    音声入力部
５１  受音部
Ｍ    被施療者
【図１】
2004321324.tif 000003
【図２】
2004321324.tif 000004
【図３】
2004321324.tif 000005
【図４】
2004321324.tif 000006
【図５】
2004321324.tif 000007
【図６】
2004321324.tif 000008
【図７】
2004321324.tif 000009